(57)【特許請求の範囲】
【請求項１】
読み書き可能なＩＣチップを有する非接触ＩＣメディアと非接触状態で通信を行うアンテナ部を少なくとも備えた延長部と、前記アンテナ部の制御を行う制御部を少なくとも備えた本体部と、を備え、前記延長部と前記本体部とが一対の信号線で接続されている非接触ＩＣリーダライタ装置において、
前記本体部は、
前記制御部より出力された、前記アンテナ部の制御を行うアンテナ制御信号と、前記非接触ＩＣリーダライタ装置の処理の状況を操作者に知らせる通知部の制御を行う通知部制御信号とを混合させ、混合信号として前記一対の信号線に出力する混合部をさらに備え、
前記延長部は、
前記通知部と、
前記一対の信号線を介して入力された前記混合信号より、前記アンテナ制御信号と、前記通知部制御信号とを分離し、前記アンテナ制御信号を前記アンテナ部に入力し、前記通知部制御信号を前記通知部に入力する分離部と、をさらに備え、
前記混合部は、複数の前記通知部制御信号を混合し、
複数の前記通知部制御信号は、互いに異なり、かつ他の周波数のｎ倍（ｎは整数）の周波数とならない周波数の信号である
ことを特徴とする非接触ＩＣリーダライタ装置。
【請求項２】
読み書き可能なＩＣチップを有する非接触ＩＣメディアと非接触状態で通信を行うアンテナ部を少なくとも備えた延長部と、前記アンテナ部の制御を行う制御部を少なくとも備えた本体部と、を備え、前記延長部と前記本体部とが一対の信号線で接続されている非接触ＩＣリーダライタ装置において、
前記本体部は、
前記制御部より出力された、前記アンテナ部の制御を行うアンテナ制御信号と、前記非接触ＩＣリーダライタ装置の処理の状況を操作者に知らせる通知部の制御を行う通知部制御信号とを混合させ、混合信号として前記一対の信号線に出力する混合部をさらに備え、
前記延長部は、
前記通知部と、
前記一対の信号線を介して入力された前記混合信号より、前記アンテナ制御信号と、前記通知部制御信号とを分離し、前記アンテナ制御信号を前記アンテナ部に入力し、前記通知部制御信号を前記通知部に入力する分離部と、をさらに備え、
前記混合部は、複数の前記通知部制御信号を混合し、
複数の前記通知部制御信号は、互いに異なり、かつ素数である周波数の信号である
ことを特徴とする非接触ＩＣリーダライタ装置。
【請求項３】
読み書き可能なＩＣチップを有する非接触ＩＣメディアと非接触状態で通信を行うアンテナ部を少なくとも備えた延長部と、前記アンテナ部の制御を行う制御部を少なくとも備えた本体部と、を備え、前記延長部と前記本体部とが一対の信号線で接続されている非接触ＩＣリーダライタ装置の駆動方法において、
前記制御部より出力された、前記アンテナ部の制御を行うアンテナ制御信号と、前記非接触ＩＣリーダライタ装置の処理の状況を操作者に知らせる通知部の制御を行う通知部制御信号とを混合させ、混合信号として前記一対の信号線に出力する混合ステップと、
前記混合ステップで混合した前記混合信号より、前記アンテナ制御信号と、前記通知部制御信号とを分離し、前記アンテナ制御信号を前記アンテナ部に入力し、前記通知部制御信号を前記通知部に入力する分離ステップと、
を含み、
前記混合ステップでは、複数の前記通知部制御信号を混合し、
複数の前記通知部制御信号は、互いに異なり、かつ他の周波数のｎ倍（ｎは整数）の周波数とならない周波数の信号である
ことを特徴とする非接触ＩＣリーダライタ装置の駆動方法。
【請求項４】
読み書き可能なＩＣチップを有する非接触ＩＣメディアと非接触状態で通信を行うアンテナ部を少なくとも備えた延長部と、前記アンテナ部の制御を行う制御部を少なくとも備えた本体部と、を備え、前記延長部と前記本体部とが一対の信号線で接続されている非接触ＩＣリーダライタ装置の駆動方法において、
前記制御部より出力された、前記アンテナ部の制御を行うアンテナ制御信号と、前記非接触ＩＣリーダライタ装置の処理の状況を操作者に知らせる通知部の制御を行う通知部制御信号とを混合させ、混合信号として前記一対の信号線に出力する混合ステップと、
前記混合ステップで混合した前記混合信号より、前記アンテナ制御信号と、前記通知部制御信号とを分離し、前記アンテナ制御信号を前記アンテナ部に入力し、前記通知部制御信号を前記通知部に入力する分離ステップと、
を含み、
前記混合ステップでは、複数の前記通知部制御信号を混合し、
複数の前記通知部制御信号は、互いに異なり、かつ素数である周波数の信号である
ことを特徴とする非接触ＩＣリーダライタ装置の駆動方法。
【発明の詳細な説明】
【技術分野】
【０００１】
本発明は、非接触ＩＣメディアが記憶するデータの読み取りおよび書き込みを行う非接触ＩＣリーダライタ装置および非接触ＩＣリーダライタ装置の駆動方法に関する。
【背景技術】
【０００２】
従来、非接触ＩＣメディアの読み取りおよび書き込みを行う非接触ＩＣリーダライタ装置が知られている（例えば、特許文献１参照）。このような非接触ＩＣリーダライタ装置の構成は図１２に示す通りである。
【０００３】
図１２は従来知られている非接触ＩＣリーダライタ装置の構成図である。図示する例では、非接触ＩＣリーダライタ装置は、制御部１００１と、メモリ部１００２と、通信制御部１００３と、アンテナ部１００４と、表示部１００５と、光ＭＭＩ（マンマシンインターフェース、Ｍａｎ−Ｍａｃｈｉｎｅ  Ｉｎｔｅｒｆａｃｅ）部１００６と、音ＭＭＩ部１００７と、入力部１００８とを備える。また、通信制御部１００３は、通信制御回路部１０１１とＲＦ（アール・エフ、Ｒａｄｉｏ  Ｆｒｅｑｕｅｎｃｙ）ドライブ部１０１２とを備える。
【０００４】
制御部１００１は、非接触ＩＣリーダライタ装置の制御を行う。メモリ部１００２は、非接触ＩＣリーダライタ装置で使用する情報を記憶する。通信制御部１００３の通信制御回路部１０１１とＲＦドライブ部１０１２は、アンテナ部１００４の制御を行う。アンテナ部１００４は、非接触ＩＣメディアが記憶する情報の読み取りおよび書き込みを行う。表示部１００５は、非接触ＩＣリーダライタ装置が行う処理金額などの表示を行う。光ＭＭＩ部１００６は、非接触ＩＣリーダライタ装置の処理の状況によって、光によりメディアの使用者への誘引や通知を行う。例えば、光ＭＭＩ部１００６は青色ＬＥＤ（発光ダイオード、Ｌｉｇｈｔ  Ｅｍｉｔｔｉｎｇ  Ｄｉｏｄｅ）や赤色ＬＥＤなどを備え、非接触ＩＣリーダライタ装置の処理の状況に応じて青色ＬＥＤや赤色ＬＥＤなどの点灯を制御する。音ＭＭＩ部１００７は、非接触ＩＣリーダライタ装置の処理の状況を音により表示する。入力部１００８は、非接触ＩＣリーダライタ装置の操作を受け付ける。
【０００５】
次に、図１３を参照して、従来知られている非接触ＩＣリーダライタ装置の処理の流れを説明する。図１３は、従来知られている非接触ＩＣリーダライタ装置の処理の流れを示したフローチャートである。
【０００６】
（ステップＳ１１０１）決済処理が開始されると、入力部１００８は金額の入力を受け付ける。その後ステップＳ１１０２に進む。
（ステップＳ１１０２）入力部１００８は、非接触ＩＣメディアを用いた電子マネー決済を開始する入力を受け付ける。その後、ステップＳ１１０３に進む。
【０００７】
（ステップＳ１１０３）ＲＦドライブ部１０１２は、アンテナ部１００４を制御し、非接触メディアの捕捉を開始する。その後、ステップＳ１０１４に進む。
（ステップＳ１１０４）光ＭＭＩ部１００６は、非接触ＩＣメディアの捕捉を開始したことを操作者（顧客、非接触ＩＣメディアを非接触ＩＣリーダライタ装置にかざす者）に伝えるため、青色ＬＥＤを点灯させる。その後、ステップＳ１０１５に進む。
【０００８】
（ステップＳ１１０５）操作者は非接触ＩＣメディアをアンテナ部１００４にかざす。ＲＦドライブ部１０１２は、アンテナ部１００４に非接触ＩＣメディアがかざされたことを認識する。その後、ステップＳ１１０６に進む。
（ステップＳ１１０６）光ＭＭＩ部１００６は、ＲＦドライブ部１０１２が非接触ＩＣメディアを認識したことを操作者に伝えるため、青色ＬＥＤを消灯させる。その後、ステップＳ１１０７に進む。
【０００９】
（ステップＳ１１０７）制御部１００１は、決済処理を行う。例えば、決済処理として代金の支払いのときはステップＳ１００１で入力された金額を、非接触ＩＣメディアが記憶している金額より減算する。また、制御部１００１は、決済処理が成功したか否か判断する。決済処理が成功したと制御部１００１が判断した場合はステップＳ１１０８に進み、それ以外はステップＳ１１１２に進む。
【００１０】
（ステップＳ１１０８）ＲＦドライブ部１０１２は処理を中止する。その後、ステップＳ１１０９に進む。
（ステップＳ１１０９）光ＭＭＩ部１００６は、決済処理が成功したことを操作者に伝えるため、緑色ＬＥＤを点灯させる。その後、ステップＳ１１１０に進む。
【００１１】
（ステップＳ１１１０）制御部１００１は図示せぬ印字部を制御し、レシートの印字を行う。その後、ステップＳ１１１１に進む。
（ステップＳ１１１１）光ＭＭＩ部１００６は、非接触ＩＣリーダライタ装置が行う全ての処理が終了したことを操作者に伝えるため、緑色ＬＥＤを消灯させる。その後、処理を終了する。
【００１２】
（ステップＳ１１１２）ＲＦドライブ部１０１２は処理を中止する。その後、ステップＳ１１１３に進む。
（ステップＳ１１１３）光ＭＭＩ部１００６は、決済処理が失敗したことを操作者に伝えるため、赤色ＬＥＤを点灯させる。その後、ステップＳ１１１４に進む。
【００１３】
（ステップＳ１１１４）表示部１００５は、ステップＳ１１０７での処理が失敗したことを表示する。また、このとき失敗した理由についても併せて表示する。その後、ステップＳ１１１５に進む。
（ステップＳ１１１５）光ＭＭＩ部１００６は、非接触ＩＣリーダライタ装置が行う全ての処理が終了したことを操作者に伝えるため、赤色ＬＥＤを消灯させる。その後、処理を終了する。
【００１４】
上述したとおり、ステップＳ１００１〜ステップＳ１１１５の手順により、非接触ＩＣリーダライタ装置が動作していることが知られている。
【００１５】
また、アンテナ部１００４のみ含んだ延長部を非接触ＩＣリーダライタ装置より延長し、非接触ＩＣリーダライタ装置の本体部から離れた位置で非接触ＩＣメディアのデータの読み取りおよび書き込みを行うことが可能な装置も知られている。
【００１６】
図１４は、従来知られている、本体部と延長部とからなる非接触ＩＣリーダライタ装置の構成図である。図示する例では、非接触ＩＣリーダライタ装置は、本体部１２０１と延長部１２０２とに分かれている。本体部は、制御部１００１と、メモリ部１００２と、通信制御部１００３と、表示部１００５と、光ＭＭＩ部１００６と、音ＭＭＩ部１００７と、入力部１００８とを備える。また、通信制御部１００３は、通信制御回路部１０１１とＲＦドライブ部１０１２とを備える。延長部１２０２は、アンテナ部１００４を備える。各構成部の機能は図１３に示した構成部の機能と同様である。
【００１７】
本体部１２０１の通信制御部１００３と延長部１２０２のアンテナ部１００４は一対の信号線で接続されており、電気信号の送受信を行うことが可能である。
【００１８】
図１４の構成では、延長部１２０２はアンテナ部１００４のみを含んだ構成であるため、延長部１２０２の大きさおよび重量を小さくすることができる。また、本体部１２０１と延長部１２０２とは一対の信号線で接続されているため、ケーブルの太さを細くすることもできる。本体部１２０１と延長部１２０２とを接続している信号線を長くすることにより、延長部１２０２を本体部１２０１より離れた場所に移動させることができ、それにより本体部１２０１を設置している場所から離れた場所で非接触ＩＣメディアのデータの読み取りおよび書き込みを行うことができる。
【００１９】
しかしながら、図１４の構成では、延長部１２０２はアンテナ部１００４のみを含む構成であり、延長部１２０２に光ＭＭＩ部１００６と、音ＭＭＩ部１００７とが含まれていない。そのため、延長部１２０２のみでは、操作者は非接触ＩＣリーダライタ装置の処理の状況を知ることができない。
【００２０】
これを解決するための非接触ＩＣリーダライタ装置として、延長部１２０２に光ＭＭＩ部１００６と、音ＭＭＩ部１００７とを含む構成とした非接触ＩＣリーダライタ装置が考えられる。
【００２１】
図１５は、本体部と延長部とからなる非接触ＩＣリーダライタ装置の構成図である。図示する例では、非接触ＩＣリーダライタ装置は、本体部１２０１と延長部１２０２とに分かれている。本体部は、制御部１００１と、メモリ部１００２と、通信制御部１００３と、表示部１００５と、入力部１００８とを備える。また、通信制御部１００３は、通信制御回路部１０１１とＲＦドライブ部１０１２とを備える。延長部１２０２は、アンテナ部１００４と、光ＭＭＩ部１００６と、音ＭＭＩ部１００７とを備える。各構成部の機能は図１３に示した構成部の機能と同様である。
【００２２】
本体部１２０１の通信制御部１００３と延長部１２０２のアンテナ部１００４は一対の信号線で接続されており、電気信号の送受信を行うことが可能である。また、本体部１２０１の制御部１００１と延長部１２０２の光ＭＭＩ部１００６は一対の信号線で接続されており、電気信号の送受信を行うことが可能である。また、本体部１２０１の制御部１００１と延長部１２０２の音ＭＭＩ部１００７は一対の信号線で接続されており、電気信号の送受信を行うことが可能である。なお、図１５に示した例では、延長部１２０２は、光ＭＭＩ部１００６および音ＭＭＩ部１００７をそれぞれ１つずつのみ備えているが、複数備える場合もある。この場合、本体部１２０１と延長部１２０２とを接続する信号線は、光ＭＭＩ部１００６および音ＭＭＩ部１００７の数と同一数の対の信号線がさらに必要となる。具体的には、延長部１２０２は光ＭＭＩ部１００６を３つ備え、音ＭＭＩ部１００７を２つ備えている場合、本体部１２０１と延長部１２０２とを接続する信号線として５対の信号線がさらに必要となる。
【００２３】
【特許文献１】特開２００１−２０９８６１号公報
【発明の開示】
【発明が解決しようとする課題】
【００２４】
しかしながら、図１５の構成では、複数の電気信号を一対の信号線を用いて送受信することができないため、本体部１２０１の通信制御部１００３と延長部１２０２のアンテナ部１００４は一対の信号線で接続されており、本体部１２０１の制御部１００１と延長部１２０２の光ＭＭＩ部１００６は一対の信号線で接続されており、本体部１２０１の制御部１００１と延長部１２０２の音ＭＭＩ部１００７は一対の信号線で接続されており、本体部１２０１と延長部１２０２とは計三対の信号線で接続されている。
【００２５】
上述したとおり、複数の電気信号を一対の信号線を用いて送受信することができないという問題がある。そのため、本体部１２０１と延長部１２０２との間の接続には複数対の信号線を備えた多芯線のケーブルを使用しなければならず、太く、取り回しにくくなり、ケーブルのコストも高価になってしまう。
【００２６】
本発明は上記の課題を解決するためになされたものであり、本体部と延長部との間で送受信する複数の電気信号を、一対の信号線を用いて送受信を行うことが可能な非接触ＩＣリーダライタ装置を提供することを目的とする。
【課題を解決するための手段】
【００２７】
本発明は、読み書き可能なＩＣチップを有する非接触ＩＣメディアと非接触状態で通信を行うアンテナ部を少なくとも備えた延長部と、前記アンテナ部の制御を行う制御部を少なくとも備えた本体部と、を備え、前記延長部と前記本体部とが一対の信号線で接続されている非接触ＩＣリーダライタ装置において、前記本体部は、前記制御部より出力された、前記アンテナ部の制御を行うアンテナ制御信号と、前記非接触ＩＣリーダライタ装置の処理の状況を操作者に知らせる通知部の制御を行う通知部制御信号とを混合させ、混合信号として前記一対の信号線に出力する混合部をさらに備え、前記延長部は、前記通知部と、前記一対の信号線を介して入力された前記混合信号より、前記アンテナ制御信号と、前記通知部制御信号とを分離し、前記アンテナ制御信号を前記アンテナ部に入力し、前記通知部制御信号を前記通知部に入力する分離部と、をさらに備え、前記混合部は、複数の前記通知部制御信号を混合し、複数の前記通知部制御信号は、互いに異なり、かつ他の周波数のｎ倍（ｎは整数）の周波数とならない周波数の信号であることを特徴とする非接触ＩＣリーダライタ装置である。
【００２８】
また、本発明は、読み書き可能なＩＣチップを有する非接触ＩＣメディアと非接触状態で通信を行うアンテナ部を少なくとも備えた延長部と、前記アンテナ部の制御を行う制御部を少なくとも備えた本体部と、を備え、前記延長部と前記本体部とが一対の信号線で接続されている非接触ＩＣリーダライタ装置において、前記本体部は、前記制御部より出力された、前記アンテナ部の制御を行うアンテナ制御信号と、前記非接触ＩＣリーダライタ装置の処理の状況を操作者に知らせる通知部の制御を行う通知部制御信号とを混合させ、混合信号として前記一対の信号線に出力する混合部をさらに備え、前記延長部は、前記通知部と、前記一対の信号線を介して入力された前記混合信号より、前記アンテナ制御信号と、前記通知部制御信号とを分離し、前記アンテナ制御信号を前記アンテナ部に入力し、前記通知部制御信号を前記通知部に入力する分離部と、をさらに備え、前記混合部は、複数の前記通知部制御信号を混合し、複数の前記通知部制御信号は、互いに異なり、かつ素数である周波数の信号であることを特徴とする非接触ＩＣリーダライタ装置である。
【００３５】
また、本発明は、読み書き可能なＩＣチップを有する非接触ＩＣメディアと非接触状態で通信を行うアンテナ部を少なくとも備えた延長部と、前記アンテナ部の制御を行う制御部を少なくとも備えた本体部と、を備え、前記延長部と前記本体部とが一対の信号線で接続されている非接触ＩＣリーダライタ装置の駆動方法において、前記制御部より出力された、前記アンテナ部の制御を行うアンテナ制御信号と、前記非接触ＩＣリーダライタ装置の処理の状況を操作者に知らせる通知部の制御を行う通知部制御信号とを混合させ、混合信号として前記一対の信号線に出力する混合ステップと、前記混合ステップで混合した前記混合信号より、前記アンテナ制御信号と、前記通知部制御信号とを分離し、前記アンテナ制御信号を前記アンテナ部に入力し、前記通知部制御信号を前記通知部に入力する分離ステップと、を含み、前記混合ステップでは、複数の前記通知部制御信号を混合し、複数の前記通知部制御信号は、互いに異なり、かつ他の周波数のｎ倍（ｎは整数）の周波数とならない周波数の信号であることを特徴とする非接触ＩＣリーダライタ装置の駆動方法である。
【００３６】
また、本発明は、読み書き可能なＩＣチップを有する非接触ＩＣメディアと非接触状態で通信を行うアンテナ部を少なくとも備えた延長部と、前記アンテナ部の制御を行う制御部を少なくとも備えた本体部と、を備え、前記延長部と前記本体部とが一対の信号線で接続されている非接触ＩＣリーダライタ装置の駆動方法において、前記制御部より出力された、前記アンテナ部の制御を行うアンテナ制御信号と、前記非接触ＩＣリーダライタ装置の処理の状況を操作者に知らせる通知部の制御を行う通知部制御信号とを混合させ、混合信号として前記一対の信号線に出力する混合ステップと、前記混合ステップで混合した前記混合信号より、前記アンテナ制御信号と、前記通知部制御信号とを分離し、前記アンテナ制御信号を前記アンテナ部に入力し、前記通知部制御信号を前記通知部に入力する分離ステップと、を含み、前記混合ステップでは、複数の前記通知部制御信号を混合し、複数の前記通知部制御信号は、互いに異なり、かつ素数である周波数の信号であることを特徴とする非接触ＩＣリーダライタ装置の駆動方法である。
【発明の効果】
【００３７】
この発明によれば、本体部と延長部との間で送受信する複数の電気信号を、一対の信号線を用いて送受信を行うことが可能となる。
【発明を実施するための最良の形態】
【００３８】
（第一の実施形態）
以下、本発明の第一の実施形態について図面を参照して説明する。図１は、本実施形態による非接触ＩＣリーダライタ装置の構成を示した図である。図示する例では、非接触ＩＣリーダライタ装置は、本体部１０１と、延長部１０２とを備える。本体部１０１と延長部１０２とはケーブル１１０で接続されている。本実施形態では、ケーブル１１０は一対の信号線であり、具体的には一本のみの同軸ケーブルである。また、ケーブル１１０は電気信号を伝送することが出来る伝送媒体であれば良く、一本のみの同軸ケーブルではなく、一本のみのシールド線などでも良い。あるいは、グランドに床等が使用することが可能な場合は単一の配線でも良い。
【００３９】
延長部１０２は、光ＭＭＩ用ＬＥＤとして、青色ＬＥＤ１０３と、緑色ＬＥＤ１０４と、赤色ＬＥＤ１０５とを備える。また、延長部１０２は、音ＭＭＩ用スピーカ１０６を備える。
【００４０】
青色ＬＥＤ１０３と、緑色ＬＥＤ１０４と、赤色ＬＥＤ１０５は、非接触ＩＣリーダライタ装置が行う処理の表示を行う。例えば非接触ＩＣリーダライタ装置の処理の状況に応じて青色ＬＥＤ１０３と、緑色ＬＥＤ１０４と、赤色ＬＥＤ１０５が光り、操作者（顧客、非接触ＩＣメディアを非接触ＩＣリーダライタ装置にかざす者）に処理の状況を伝える。音ＭＭＩ用スピーカ１０６は非接触ＩＣリーダライタ装置が行う処理の表示を行う。例えば非接触ＩＣリーダライタ装置の処理の状況に応じて音ＭＭＩ用スピーカ１０６が音を出し、操作者に処理の状況を伝える。なお、本実施形態では、操作者は例えば顧客（非接触ＩＣメディアを非接触ＩＣリーダライタ装置にかざす者）である。非接触ＩＣリーダライタ装置を操作する店員と、本実施形態での操作者（顧客）とは一般的には異なる。
【００４１】
次に、図２を参照して、本実施形態における非接触ＩＣリーダライタ装置の構成を説明する。図２は本実施形態における非接触ＩＣリーダライタ装置の構成を示した図である。図示する例では、非接触ＩＣリーダライタ装置は、本体部１０１と延長部１０２とに分かれている。本体部１０１は、制御部２０１と、メモリ部２０２と、通信制御部２０３と、表示部２０４と、本体部ＭＭＩ部２０５と、入力部２０６と、混合部２１１とを備える。また、通信制御部２０３は、通信制御回路部２１３とＲＦ（アール・エフ、Ｒａｄｉｏ  Ｆｒｅｑｕｅｎｃｙ）ドライブ部２１４とを備える。
【００４２】
延長部１０２は、アンテナ部２０７と、ＭＭＩ部２０８〜２１０と、分離部２１２とを備える。また、本体部１０１の混合部２１１と延長部１０２の分離部２１２はケーブル１１０で接続されており、電気信号の送受信を行うことが可能である。
【００４３】
制御部２０１は、非接触ＩＣリーダライタ装置の制御を行う。メモリ部２０２は、非接触ＩＣリーダライタ装置で使用する情報を記憶する。通信制御部２０３の通信制御回路部２１３とＲＦドライブ部２１４は、アンテナ部２０７の制御を行う。なお、本実施形態ではＲＦドライブ部２１４とアンテナ部２０７は、混合部２１１と、分離部２１２とを介し接続している。ＲＦドライブ部２１４とアンテナ部２０７との間の電気信号の送受信方法については後述する。
【００４４】
表示部２０４は、非接触ＩＣリーダライタ装置が行う処理の表示を行う。本体部ＭＭＩ部２０５は、非接触ＩＣリーダライタ装置の処理の状況を光および音などにより表示する。例えば、光を使用した光ＭＭＩ部の場合、ＭＭＩ部は青色ＬＥＤや赤色ＬＥＤなどを備え、非接触ＩＣリーダライタ装置の処理の状況に応じて青色ＬＥＤや赤色ＬＥＤの点灯を制御する。また、音を使用した音ＭＭＩ部の場合、非接触ＩＣリーダライタ装置の処理の状況を音により表示する。入力部２０６は、非接触ＩＣリーダライタ装置の操作を受け付ける。混合部２１１は、ＲＦドライブ部２１４と制御部２０１とから入力される信号を加算（混合）する。加算する方法については後述する。
【００４５】
アンテナ部２０７は、非接触ＩＣメディアが記憶する情報の読み取りおよび書き込みを行う。ＭＭＩ部２０８〜２１０は、本体部ＭＭＩ部２０５と同様に、非接触ＩＣリーダライタ装置の処理の状況を光および音などにより表示する。本実施形態では、ＭＭＩ部２０８は青色ＬＥＤを備え、ＭＭＩ部２０９は緑色ＬＥＤを備え、ＭＭＩ部２１０は赤色ＬＥＤを備える。分離部２１２は混合部２１１より入力される信号を分離する。分離する方法については後述する。
【００４６】
次に、本実施形態における混合部２１１と分離部２１２との動作について説明する。図３は、本実施形態における混合部と分離部の動作の例を示した図である。図示する例では混合部２１１と分離部２１２はケーブル１１０で接続されている。また、混合部２１１には非接触ＩＣ信号と、青色ＬＥＤ信号と、緑色ＬＥＤ信号と、赤色ＬＥＤ信号とが入力されている。
【００４７】
非接触ＩＣ信号はＲＦドライブ部２１４より入力され、例えば１３．５６ＭＨｚの高周波信号である。青色ＬＥＤ信号は制御部２０１より入力され、例えば５３ｋＨｚの低周波信号である。緑色ＬＥＤ信号は制御部２０１より入力され、例えば２９ｋＨｚの低周波信号である。赤色ＬＥＤ信号は制御部２０１より入力され、例えば１１ｋＨｚの低周波信号である。本実施形態では、倍数の周波数による干渉等の影響を考慮し、低周波数の信号の周波数を、他の周波数のｎ倍（ｎは整数）の周波数とならない周波数としている。具体的には、各低周波数は素数になる周波数を選択して使用している。なお、低周波数の信号の周波数はこれに限らず、分離することが可能な周波数であればよい。
【００４８】
混合部２１１は、入力された非接触ＩＣ信号と、青色ＬＥＤ信号と、緑色ＬＥＤ信号と、赤色ＬＥＤ信号とを加算し、加算した信号をケーブル１１０を介して分離部２１２に入力する。本実施形態の混合部２１１の回路例は図４に示す通りである。
【００４９】
図４は、本実施形態での混合部２１１の回路の例を示した回路図である。図示する例は、オペアンプを用いた加算回路である。入力部４０１に入力された信号と、入力部４０２に入力された信号とを加算し、出力部４０３から出力する。
【００５０】
これにより混合部２１１は、入力された非接触ＩＣ信号と、青色ＬＥＤ信号と、緑色ＬＥＤ信号と、赤色ＬＥＤ信号とを加算し、加算した信号をケーブル１１０を介して分離部２１２に入力することができる。
【００５１】
分離部２１２は、混合部２１１より入力された信号を分離する。図３に示した例ではステップＳ３０１〜ステップＳ３０６の処理を行い、各信号を分離している。
（ステップＳ３０１）混合部２１１より入力された信号を１２．５ＭＨｚ〜１４．０ＭＨｚの信号を通すフィルタに入力する。これにより、１３．５６ＭＨｚの非接触ＩＣ信号のみを分離することができる。分離部２１２は、分離した非接触ＩＣ信号をアンテナ部２０７に入力する。
【００５２】
（ステップＳ３０２）混合部２１１より入力された信号を６０ｋＨｚ以下の信号を通すフィルタに入力する。これにより、６０ｋＨｚ以下の信号のみを含んだ信号を出力することができる。
【００５３】
（ステップＳ３０３）ステップＳ３０２で出力された信号を５０ｋＨｚ以下の信号をカットするフィルタに入力する。これにより、５３ｋＨｚの青色ＬＥＤ信号のみを取り出すことができる。分離部２１２は、分離した青色ＬＥＤ信号をＭＭＩ部２０８に入力する。
（ステップＳ３０４）ステップＳ３０２で出力された信号を４０ｋＨｚ以下の信号のみを通すフィルタに入力する。これにより、４０ｋＨｚ以下の信号のみを含んだ信号を出力することができる。
【００５４】
（ステップＳ３０５）ステップＳ３０４で出力された信号を２５ｋＨｚ以下の信号をカットするフィルタに入力する。これにより、２９ｋＨｚの緑色ＬＥＤ信号のみを取り出すことができる。分離部２１２は、分離した緑色ＬＥＤ信号をＭＭＩ部２０９に入力する。
（ステップＳ３０６）ステップＳ３０４で出力された信号を１５ｋＨｚ以下の信号のみを通すフィルタに入力する。これにより、１１ｋＨｚの赤色ＬＥＤ信号のみを取り出すことができる。分離部２１２は、分離した赤色ＬＥＤ信号をＭＭＩ部２１０に入力する。
【００５５】
図５は、本実施形態での分離部２１２の回路の例を示した回路図である。図示する例は、オペアンプを用いたバンドパスフィルタである。入力部５０１に入力された信号のうち、一定周波数以下の信号を取り除き、出力部５０２から出力する。
【００５６】
上述したとおり、分離部２１２は、混合部２１１より入力された信号から非接触ＩＣ信号と、青色ＬＥＤ信号と、緑色ＬＥＤ信号と、赤色ＬＥＤ信号とを分離し、アンテナ部２０７とＭＭＩ部２０８〜２１０とに入力することができる。
【００５７】
次に、図６を参照して、本実施形態における非接触ＩＣリーダライタ装置の処理の流れを説明する。図６は、本実施形態における非接触ＩＣリーダライタ装置の処理の流れを示したフローチャートである。
【００５８】
（ステップＳ６０１）決済処理が開始されると、入力部２０６は金額の入力を受け付ける。その後ステップＳ６０２に進む。
（ステップＳ６０２）入力部２０６は、非接触ＩＣメディアを用いた電子マネー決済を開始する入力を受け付ける。その後、ステップＳ６０３に進む。
【００５９】
（ステップＳ６０３）ＲＦドライブ部２１４は、アンテナ部２０７を制御し、非接触メディアの捕捉を開始する。その後、ステップＳ６０４に進む。なお、このときの制御方法としては、ＲＦドライブ部２１４は、混合部２１１と分離部２１２とを介して非接触ＩＣ信号をアンテナ部２０７に入力し続ける。
（ステップＳ６０４）制御部２０１は、非接触ＩＣメディアの捕捉を開始したことを操作者に伝えるため、ＭＭＩ部２０８が備える青色ＬＥＤを点灯させる。その後、ステップＳ１０１５に進む。なお、このときの制御方法としては、制御部２０１は、混合部２１１と分離部２１２とを介して青色ＬＥＤ信号をＭＭＩ部２０８に入力し続ける。
【００６０】
（ステップＳ６０５）操作者は非接触ＩＣメディアを延長部１０２が備えるアンテナ部２０７にかざす。ＲＦドライブ部２１４は、アンテナ部２０７に非接触ＩＣメディアがかざされたことを認識する。その後、ステップＳ６０６に進む。
（ステップＳ１１０６）制御部２０１は、ＲＦドライブ部２１４が非接触ＩＣメディアを認識したことを操作者に伝えるため、青色ＬＥＤを消灯させる。その後、ステップＳ１１０７に進む。青色ＬＥＤを消灯するために、制御部２０１はステップＳ６０５から入力し続けている青色ＬＥＤ信号を停止する。
【００６１】
（ステップＳ６０７）制御部２０１は、決済処理を行う。例えば、決済処理として代金の支払いのときはステップＳ６０１で入力された金額を、非接触ＩＣメディアが記憶している金額より減算する。また、制御部２０１は、決済処理が成功したか否か判断する。決済処理が成功したと制御部２０１が判断した場合はステップＳ６０８に進み、それ以外はステップＳ６１２に進む。
【００６２】
（ステップＳ６０８）ＲＦドライブ部２１４はステップＳ６０３から送信し続けていた非接触ＩＣ信号の送信を終了する。その後、ステップＳ６０９に進む。
（ステップＳ６０９）制御部２０１は、決済処理が成功したことを操作者に伝えるため、緑色ＬＥＤを点灯させる。その後、ステップＳ１１１０に進む。なお、このときの制御方法としては、制御部２０１は、混合部２１１と分離部２１２とを介して緑色ＬＥＤ信号をＭＭＩ部２０９に入力し続ける。
【００６３】
（ステップＳ６１０）制御部２０１は図示せぬ印字部を制御し、レシートの印字を行う。その後、ステップＳ６１１に進む。
（ステップＳ６１１）制御部２０１は、非接触ＩＣリーダライタ装置が行う全ての処理が終了したことを操作者に伝えるため、緑色ＬＥＤを消灯させる。その後、処理を終了する。緑色ＬＥＤを消灯するために、制御部２０１はステップＳ６０９から入力し続けている緑色ＬＥＤ信号を停止する。
【００６４】
（ステップＳ６１２）ＲＦドライブ部２１４はステップＳ６０３から送信し続けていた非接触ＩＣ信号の送信を終了する。その後、ステップＳ６１３に進む。
（ステップＳ６１３）制御部２０１は、決済処理が失敗したことを操作者に伝えるため、赤色ＬＥＤを点灯させる。その後、ステップＳ６１４に進む。このときの制御方法としては、制御部２０１は、混合部２１１と分離部２１２とを介して赤色ＬＥＤ信号をＭＭＩ部２１０に入力し続ける。
【００６５】
（ステップＳ６１４）表示部２０４は、ステップＳ６０７での処理が失敗したことを表示する。また、このとき失敗した理由についても併せて表示する。その後、ステップＳ６１５に進む。
（ステップＳ６１５）制御部２０１は、非接触ＩＣリーダライタ装置が行う全ての処理が終了したことを操作者に伝えるため、赤色ＬＥＤを消灯させる。その後、処理を終了する。赤色ＬＥＤを消灯するために、制御部２０１はステップＳ６１３から入力し続けている赤色ＬＥＤ信号を停止する。
【００６６】
ステップＳ６０１〜ステップＳ６１５の手順により、本実施形態における非接触ＩＣリーダライタ装置は動作する。
【００６７】
上述したとおり、本実施形態によれば、非接触ＩＣリーダライタ装置の本体部１０１に混合部２１１を備え、延長部１０２に分離部２１２を備え、混合部２１１と分離部２１２とをケーブル１１０で接続することにより、本体部１０１と延長部１０２との間において、一対の信号線のみを含んだケーブル１１０を用いて複数の電気信号の送受信を行うことが可能となる。また、これにより、延長部１０２にＭＭＩ部２０８〜２１０を備えたにもかかわらず、本体部１０１と延長部１０２とを接続するケーブル１１０を一対の信号線のみを含んだケーブルとすることができ、延長部１０２の取り回しが容易となり、コストも低減することができる。
【００６８】
（第二の実施形態）
以下、本発明の第二の実施形態について説明する。本実施形態では、混合部２１１に対し、非接触ＩＣ信号とＭＭＩ信号とに加え、直流成分を入力する。これにより、延長部においてＭＭＩ等の動作に直流成分を使用することができる。例えば、本実施形態では、直流成分をフリップフロップ回路の動作に使用する。
【００６９】
図７を参照して、本実施形態における非接触ＩＣリーダライタ装置の構成を説明する。図７は本実施形態における非接触ＩＣリーダライタ装置の構成を示した図である。図示する例では、非接触ＩＣリーダライタ装置は、本体部１０１と延長部１０２とに分かれている。本体部は、制御部２０１と、メモリ部２０２と、通信制御部２０３と、表示部２０４と、本体部ＭＭＩ部２０５と、入力部２０６と、混合部２１１と電源部２１５とを備える。また、通信制御部２０３は、通信制御回路部２１３とＲＦドライブ部２１４とを備える。
【００７０】
延長部１０２は、アンテナ部２０７と、ＭＭＩ部２０８〜２１０と、分離部２１２とを備える。また、本体部１０１の混合部２１１と延長部１０２の分離部２１２はケーブル１１０で接続されており、電気信号の送受信を行うことが可能である。
【００７１】
制御部２０１、メモリ部２０２、通信制御部２０３、通信制御回路部２１３、ＲＦドライブ部２１４、表示部２０４、本体部ＭＭＩ部２０５、入力部２０６、アンテナ部２０７、ＭＭＩ部２０８〜２１０は第一の実施形態の各構成部と同様である。混合部２１１は、ＲＦドライブ部２１４と制御部２０１と電源部２１５とから入力される信号とを加算する。加算する方法については後述する。分離部２１２は混合部２１１より入力される信号を分離する。分離する方法については後述する。
【００７２】
次に、本実施形態における混合部２１１と分離部２１２との動作について説明する。図８は、本実施形態における混合部と分離部の動作の例を示した図である。図示する例では混合部２１１と分離部２１２はケーブル１１０で接続されている。また、混合部２１１には非接触ＩＣ信号と、ＭＭＩのＯＦＦ（リセット）信号と、青色ＬＥＤのＯＮ信号と、緑色ＬＥＤのＯＮ信号と、赤色ＬＥＤのＯＮ信号と、直流成分（直流バイアス）とが入力されている。
【００７３】
非接触ＩＣ信号はＲＦドライブ部２１４より入力され、例えば１３．５６ＭＨｚの高周波信号である。ＭＭＩのＯＦＦ信号は制御部２０１より入力され、例えば１７．３ｋＨｚの低周波信号である。青色ＬＥＤのＯＮ信号は制御部２０１より入力され、例えば１１．３ｋＨｚの低周波信号である。緑色ＬＥＤのＯＮ信号は制御部２０１より入力され、例えば６．７ｋＨｚの低周波信号である。赤色ＬＥＤのＯＮ信号は制御部２０１より入力され、例えば２．３ｋＨｚの低周波信号である。直流成分は電源部２１５より入力され、例えば一定の直流バイアスである。なお、本実施形態では、倍数の周波数による干渉等の影響を考慮し、低周波数の信号は素数になる周波数を選択して使用している。
【００７４】
混合部２１１は、入力された非接触ＩＣ信号と、ＭＭＩのＯＦＦ信号と、青色ＬＥＤのＯＮ信号と、緑色ＬＥＤのＯＮ信号と、赤色ＬＥＤのＯＮ信号と、直流成分とを加算し、加算した信号をケーブル１１０を介して分離部２１２に入力する。本実施形態の混合部２１１の回路例は第一の実施形態に示した例と同様である。
【００７５】
これにより混合部２１１は、入力された非接触ＩＣ信号と、ＭＭＩのＯＦＦ信号と、青色ＬＥＤのＯＮ信号と、緑色ＬＥＤのＯＮ信号と、赤色ＬＥＤのＯＮ信号と、直流成分とを加算し、加算した信号をケーブル１１０を介して分離部２１２に入力することができる。
【００７６】
分離部２１２は、混合部２１１より入力された信号を分離する。図８に示した例ではステップＳ８０１〜ステップＳ８０５の処理を行い、各信号を分離している。また、分離部２１２はフリップフロップ回路を備えており、分離した各信号に基づいてフリップフロップ回路を動作させ、ＭＭＩ部２０８〜２１０に信号を送信する。
【００７７】
（ステップＳ８０１）混合部２１１より入力された信号より直流成分を分離するフィルタに入力する。これにより、分離した直流成分をフリップフロップ回路に入力し、それ以外を他に出力する。なお、フィルタを用いる代わりにコンデンサを用い、混合部２１１より入力された信号より直流成分以外を抜き出し、直流成分をフリップフロップ回路に入力し、直流成分以外を他に出力しても良い。
【００７８】
（ステップＳ８０２）ステップＳ８０１で他に出力された信号を５ｋＨｚ未満と５ｋＨｚ以上で分離するフィルタに入力する。これにより５ｋＨｚ未満の信号である赤色ＬＥＤのＯＮ信号をフリップフロップ回路に入力し、それ以外を他に出力する。
【００７９】
（ステップＳ８０３）ステップＳ８０２で他に出力された信号を９ｋＨｚ未満と９ｋＨｚ以上で分離するフィルタに入力する。これにより９ｋＨｚ未満の信号である緑色ＬＥＤのＯＮ信号をフリップフロップ回路に入力し、それ以外を他に出力する。
【００８０】
（ステップＳ８０４）ステップＳ８０３で他に出力された信号を１５ｋＨｚ未満と１５ｋＨｚ以上で分離するフィルタに入力する。これにより１５ｋＨｚ未満の信号である青色ＬＥＤのＯＮ信号をフリップフロップ回路に入力し、それ以外を他に出力する。
【００８１】
（ステップＳ８０５）ステップＳ８０４で他に出力された信号を１００ｋＨｚ未満と１００ｋＨｚ以上で分離するフィルタに入力する。これにより１００ｋＨｚ未満の信号であるＭＭＩのＯＦＦ信号をフリップフロップ回路に入力し、それ以外の非接触ＩＣ信号をアンテナ部２０７に入力する。
【００８２】
なお、フリップフロップ回路は、赤色ＬＥＤのＯＮ信号が入力された場合、ＭＭＩのＯＦＦ信号が入力されるまで、ＭＭＩ１０に赤色ＬＥＤ信号を入力し続ける。また、フリップフロップ回路は、緑色ＬＥＤのＯＮ信号が入力された場合、ＭＭＩのＯＦＦ信号が入力されるまで、ＭＭＩ９に緑色ＬＥＤ信号を入力し続ける。また、フリップフロップ回路は、青色ＬＥＤのＯＮ信号が入力された場合、ＭＭＩのＯＦＦ信号が入力されるまで、ＭＭＩ８に青色ＬＥＤ信号を入力し続ける。
【００８３】
次に、図９を参照して、本実施形態における非接触ＩＣリーダライタ装置の処理の流れを説明する。図９は、本実施形態における非接触ＩＣリーダライタ装置の処理の流れを示したフローチャートである。
【００８４】
（ステップＳ９０１）決済処理が開始されると、入力部２０６は金額の入力を受け付ける。その後ステップＳ９０２に進む。
（ステップＳ９０２）入力部２０６は、非接触ＩＣメディアを用いた電子マネー決済を開始する入力を受け付ける。その後、ステップＳ９０３に進む。
【００８５】
（ステップＳ９０３）ＲＦドライブ部２１４は、アンテナ部２０７を制御し、非接触メディアの捕捉を開始する。その後、ステップＳ９０４に進む。なお、このときの制御方法としては、ＲＦドライブ部２１４は、混合部２１１と分離部２１２とを介して非接触ＩＣ信号をアンテナ部２０７に入力し続ける。
【００８６】
（ステップＳ９０４）制御部２０１は、非接触ＩＣメディアの捕捉を開始したことを操作者に伝えるため、ＭＭＩ部２０８が備える青色ＬＥＤを点灯させる。その後、ステップＳ９０５に進む。なお、このときの制御方法としては、制御部２０１は、混合部２１１を介して分離部２１２に青色ＬＥＤのＯＮ信号を入力する。それにより、分離部２１２のフリップフロップ回路はＭＭＩ部２０８に青色ＬＥＤ信号を入力し続ける。
（ステップＳ９０５）制御部２０１は、ステップＳ９０４で分離部２１２に入力した青色ＬＥＤのＯＮ信号を停止する。その後、ステップＳ９０６に進む。
【００８７】
（ステップＳ９０６）操作者は非接触ＩＣメディアを延長部１０２が備えるアンテナ部２０７にかざす。ＲＦドライブ部２１４は、アンテナ部２０７に非接触ＩＣメディアがかざされたことを認識する。その後、ステップＳ９０７に進む。
【００８８】
（ステップＳ９０７）制御部２０１は、ＲＦドライブ部２１４が非接触ＩＣメディアを認識したことを操作者に伝えるため、青色ＬＥＤを消灯させる。その後、ステップＳ９０８に進む。なお、このときの制御方法としては、制御部２０１は、混合部２１１を介して分離部２１２にＭＭＩのＯＦＦ信号を入力する。それにより、分離部２１２のフリップフロップ回路はＭＭＩ部２０８に入力し続けていた青色ＬＥＤ信号を停止する。
（ステップＳ９０８）制御部２０１は、ステップＳ９０７で分離部２１２に入力したＭＭＩのＯＦＦ信号を停止する。その後、ステップＳ９０９に進む。
【００８９】
（ステップＳ９０９）制御部２０１は、決済処理を行う。例えば、決済処理として代金の支払いのときはステップＳ９０１で入力された金額を、非接触ＩＣメディアが記憶している金額より減算する。また、制御部２０１は、決済処理が成功したか否か判断する。決済処理が成功したと制御部２０１が判断した場合はステップＳ９１０に進み、それ以外はステップＳ９１４に進む。
【００９０】
（ステップＳ９１０）ＲＦドライブ部２１４はステップＳ９０３から送信し続けていた非接触ＩＣ信号の送信を終了する。その後、ステップＳ９１１に進む。
【００９１】
（ステップＳ９１１）制御部２０１は、決済処理が成功したことを操作者に伝えるため、緑色ＬＥＤを点灯させる。その後、ステップＳ９１２に進む。なお、このときの制御方法としては、制御部２０１は、混合部２１１を介して分離部２１２に緑色ＬＥＤのＯＮ信号を入力する。それにより、分離部２１２のフリップフロップ回路はＭＭＩ部２０９に緑色ＬＥＤ信号を入力し続ける。
（ステップＳ９１２）制御部２０１は、ステップＳ９１１で分離部２１２に入力した緑色ＬＥＤのＯＮ信号を停止する。その後、ステップＳ９１３に進む。
【００９２】
（ステップＳ９１３）制御部２０１は図示せぬ印字部を制御し、レシートの印字を行う。その後、ステップＳ９１８に進む。
【００９３】
（ステップＳ９１４）ＲＦドライブ部２１４はステップＳ９０３から送信し続けていた非接触ＩＣ信号の送信を終了する。その後、ステップＳ９１５に進む。
【００９４】
（ステップＳ９１５）制御部２０１は、決済処理が失敗したことを操作者に伝えるため、赤色ＬＥＤを点灯させる。その後、ステップＳ９１６に進む。なお、このときの制御方法としては、制御部２０１は、混合部２１１を介して分離部２１２に赤色ＬＥＤのＯＮ信号を入力する。それにより、分離部２１２のフリップフロップ回路はＭＭＩ部２１０に赤色ＬＥＤ信号を入力し続ける。
（ステップＳ９１６）制御部２０１は、ステップＳ９１５で分離部２１２に入力した赤色ＬＥＤのＯＮ信号を停止する。その後、ステップＳ９１７に進む。
【００９５】
（ステップＳ９１７）表示部２０４は、ステップＳ９０９での処理が失敗したことを表示する。また、このとき失敗した理由についても併せて表示する。その後、ステップＳ９１８に進む。
（ステップＳ９１８）制御部２０１は、非接触ＩＣリーダライタ装置が行う全ての処理が終了したことを操作者に伝えるため、点灯していた全てのＬＥＤを消灯させる。その後、ステップＳ９１９に進む。なお、このときの制御方法としては、制御部２０１は、混合部２１１を介して分離部２１２にＭＭＩのＯＦＦ信号を入力する。それにより、分離部２１２のフリップフロップ回路はＭＭＩ部２０８に入力し続けていた全てのＬＥＤ信号を停止する。
（ステップＳ９１９）制御部２０１は、ステップＳ９０７で分離部２１２に入力したＭＭＩのＯＦＦ信号を停止する。その後、処理を終了する。
【００９６】
上述したとおり、本実施形態によれば、非接触ＩＣリーダライタ装置の本体部１０１に混合部２１１を備え、延長部１０２に分離部２１２を備え、混合部２１１と分離部２１２とをケーブル１１０で接続することにより、本体部１０１と延長部１０２との間において、一対の信号線のみを含んだケーブル１１０を用いて複数の電気信号の送受信を行うことが可能となる。また、これにより、延長部１０２にＭＭＩ部２０８〜２１０を備えたにもかかわらず、本体部１０１と延長部１０２とを接続するケーブル１１０を一対の信号線のみを含んだケーブルとすることができ、延長部１０２の取り回しが容易となり、コストも低減することができる。
【００９７】
また、直流成分（直流バイアス）を延長部１０２に供給するため、制御部２０１は、ＭＭＩ部２０８〜２１０を駆動するために信号を出力し続けるのではなく、ＯＮ／ＯＦＦのトリガのために一時的に信号を出力するだけで、ＭＭＩ部２０８〜２１０の駆動を制御することができる。また、供給された直流成分を、ＬＥＤの点灯に必要な電力等として使用することも可能である。
【００９８】
（第三の実施形態）
以下、本発明の第三の実施形態について説明する。本実施形態では、非接触ＩＣ信号やＭＭＩ信号などの信号を時分割で混合（重畳）し、さらに直流成分を入力する。これにより、第二の実施形態と同様に、延長部においてＭＭＩ等の動作に直流成分を使用することができる。例えば、本実施形態では、直流成分をフリップフロップ回路の動作に使用する。
【００９９】
本実施形態における非接触ＩＣリーダライタ装置の構成は、第二の実施形態（図７）と同様の構成である。
【０１００】
次に、本実施形態における混合部２１１と分離部２１２との動作について説明する。図１０は、本実施形態における混合部と分離部の動作の例を示した図である。図示する例では混合部２１１と分離部２１２はケーブル１１０で接続されている。また、混合部２１１には非接触ＩＣ信号と、ＭＭＩのＯＦＦ（リセット）信号と、青色ＬＥＤのＯＮ信号と、緑色ＬＥＤのＯＮ信号と、赤色ＬＥＤのＯＮ信号と、直流成分（直流バイアス）とが入力されている。
【０１０１】
なお、第二の実施形態では、非接触ＩＣ信号、ＭＭＩのＯＦＦ信号、青色ＬＥＤのＯＮ信号、緑色ＬＥＤのＯＮ信号、赤色ＬＥＤのＯＮ信号の周波数はそれぞれ異なる周波数としていたが、本実施形態では、各信号において、使用する周波数の依存関係を考慮する必要がない。また、直流成分は電源部２１５より入力され、例えば一定の直流バイアスである。
【０１０２】
混合部２１１は時間的混合手段を備え、時間的混合手段は、非接触ＩＣ信号と、ＭＭＩのＯＦＦ信号と、青色ＬＥＤのＯＮ信号と、緑色ＬＥＤのＯＮ信号と、赤色ＬＥＤのＯＮ信号とのうち、一時点において一つの信号のみの入力を受け付ける。また、入力された信号に対して、直流成分を加算し、加算した信号をケーブル１１０を介して分離部２１２に入力する。本実施形態の時間的混合手段は、例えば同期式スイッチ回路であり、後述する分離手段が備える同期式スイッチ回路と同期している。また、入力を受け付けた信号に直流成分を加算する回路例は第一の実施形態に示した例と同様である。
【０１０３】
これにより混合部２１１は、非接触ＩＣ信号と、ＭＭＩのＯＦＦ信号と、青色ＬＥＤのＯＮ信号と、緑色ＬＥＤのＯＮ信号と、赤色ＬＥＤのＯＮ信号とのうち、一時点において一つの信号のみの入力を受け付け、入力された信号に対して直流成分を加算し、加算した信号をケーブル１１０を介して分離部２１２に入力することができる。
【０１０４】
分離部２１２は直流成分の分離手段と、時間的分離手段と、フリップフロップ回路とを備える。直流成分の分離手段は、混合部２１１より入力された信号から直流成分を分離し、直流成分をフリップフロップ回路に入力し、その他の信号を時間的分離手段に入力する。
【０１０５】
時間的分離手段は、例えば同期式スイッチ回路であり、混合部２１１が備える同期式スイッチ回路と同期している。これにより、時間的分離手段は、混合部２１１からある時点に送信された信号を、該当する信号の入力を受け付けるフリップフロップ回路に入力することができる。フリップフロップ回路は、入力された各信号に基づいて、ＭＭＩ部２０８〜２１０に信号を送信する。
【０１０６】
次に、図１１を参照して、本実施形態における非接触ＩＣリーダライタ装置の処理の流れを説明する。図１１は、本実施形態における非接触ＩＣリーダライタ装置の処理の流れを示したフローチャートである。
【０１０７】
（ステップＳ１００１）混合部２１１より入力された信号より直流成分を分離するフィルタに入力する。これにより、分離した直流成分をフリップフロップ回路に入力し、それ以外を時間的分離手段に入力する。なお、フィルタを用いる代わりにコンデンサを用い、混合部２１１より入力された信号より直流成分以外を抜き出し、直流成分をフリップフロップ回路に入力し、直流成分以外を時間的分離手段に入力しても良い。
【０１０８】
（ステップＳ１００２）時間的分離手段は、混合部２１１が備える同期式スイッチ回路との同期により、ステップＳ１００１で入力された信号がどの信号なのか判断し、判断した信号としてフリップフロップ回路に信号を入力する。
【０１０９】
例えば、混合部２１１から送信された信号が「赤色ＬＥＤのＯＮ信号」である場合、時間的分離手段は、混合部２１１が備える同期式スイッチ回路との同期により、送信された信号が「赤色ＬＥＤのＯＮ信号」であることが分かる。これにより、時間的分離手段は「赤色ＬＥＤのＯＮ信号」としてフリップフロップ回路に信号を入力する。他の信号についても同様に、時間的分離手段は、混合部２１１から送信された信号を判断し、フリップフロップ回路に入力する。
【０１１０】
なお、フリップフロップ回路は、赤色ＬＥＤのＯＮ信号が入力された場合、ＭＭＩのＯＦＦ信号が入力されるまで、ＭＭＩ１０に赤色ＬＥＤ信号を入力し続ける。また、フリップフロップ回路は、緑色ＬＥＤのＯＮ信号が入力された場合、ＭＭＩのＯＦＦ信号が入力されるまで、ＭＭＩ９に緑色ＬＥＤ信号を入力し続ける。また、フリップフロップ回路は、青色ＬＥＤのＯＮ信号が入力された場合、ＭＭＩのＯＦＦ信号が入力されるまで、ＭＭＩ８に青色ＬＥＤ信号を入力し続ける。
【０１１１】
次に、図１１を参照して、本実施形態における非接触ＩＣリーダライタ装置の処理の流れを説明する。図１１は、本実施形態における非接触ＩＣリーダライタ装置の処理の流れを示したフローチャートである。
【０１１２】
（ステップＳ１１０１）決済処理が開始されると、入力部２０６は金額の入力を受け付ける。その後ステップＳ１１０２に進む。
（ステップＳ１１０２）入力部２０６は、非接触ＩＣメディアを用いた電子マネー決済を開始する入力を受け付ける。その後、ステップＳ１１０３に進む。
【０１１３】
（ステップＳ１１０３）制御部２０１は、非接触ＩＣメディアの捕捉を開始したことを操作者に伝えるため、ＭＭＩ部２０８が備える青色ＬＥＤを点灯させる。その後、ステップＳ１１０４に進む。なお、このときの制御方法としては、制御部２０１は、混合部２１１を介して分離部２１２に青色ＬＥＤのＯＮ信号を入力する。それにより、分離部２１２のフリップフロップ回路はＭＭＩ部２０８に青色ＬＥＤ信号を入力し続ける。
【０１１４】
（ステップＳ１１０４）制御部２０１は、ステップＳ１１０３で分離部２１２に入力した青色ＬＥＤのＯＮ信号を停止する。その後、ステップＳ１１０５に進む。
【０１１５】
（ステップＳ１１０５）ＲＦドライブ部２１４は、アンテナ部２０７を制御し、非接触メディアの捕捉を開始する。その後、ステップＳ１１０６に進む。なお、このときの制御方法としては、ＲＦドライブ部２１４は、混合部２１１と分離部２１２とを介して非接触ＩＣ信号をアンテナ部２０７に入力し続ける。
【０１１６】
（ステップＳ１１０６）操作者は非接触ＩＣメディアを延長部１０２が備えるアンテナ部２０７にかざす。ＲＦドライブ部２１４は、アンテナ部２０７に非接触ＩＣメディアがかざされたことを認識する。その後、ステップＳ１１０７に進む。
【０１１７】
（ステップＳ１１０７）制御部２０１は、決済処理を行う。例えば、決済処理として代金の支払いのときはステップＳ１１０１で入力された金額を、非接触ＩＣメディアが記憶している金額より減算する。また、制御部２０１は、決済処理が成功したか否か判断する。決済処理が成功したと制御部２０１が判断した場合はステップＳ１１０８に進み、それ以外はステップＳ１１１４に進む。
【０１１８】
（ステップＳ１１０８）ＲＦドライブ部２１４はステップＳ１１０５から送信し続けていた非接触ＩＣ信号の送信を終了する。その後、ステップＳ１１０９に進む。
【０１１９】
（ステップＳ１１０９）制御部２０１は、ＲＦドライブ部２１４が非接触ＩＣメディアを認識したことを操作者に伝えるため、青色ＬＥＤを消灯させる。その後、ステップＳ１１１０に進む。なお、このときの制御方法としては、制御部２０１は、混合部２１１を介して分離部２１２にＭＭＩのＯＦＦ信号を入力する。それにより、分離部２１２のフリップフロップ回路はＭＭＩ部２０８に入力し続けていた青色ＬＥＤ信号を停止する。
【０１２０】
（ステップＳ１１１０）制御部２０１は、ステップＳ１１０９で分離部２１２に入力したＭＭＩのＯＦＦ信号を停止する。その後、ステップＳ１１１１に進む。
【０１２１】
（ステップＳ１１１１）制御部２０１は、決済処理が成功したことを操作者に伝えるため、緑色ＬＥＤを点灯させる。その後、ステップＳ１１１２に進む。なお、このときの制御方法としては、制御部２０１は、混合部２１１を介して分離部２１２に緑色ＬＥＤのＯＮ信号を入力する。それにより、分離部２１２のフリップフロップ回路はＭＭＩ部２０９に緑色ＬＥＤ信号を入力し続ける。
【０１２２】
（ステップＳ９１２）制御部２０１は、ステップＳ１１１１で分離部２１２に入力した緑色ＬＥＤのＯＮ信号を停止する。その後、ステップＳ１１１３に進む。
【０１２３】
（ステップＳ１１１３）制御部２０１は図示せぬ印字部を制御し、レシートの印字を行う。その後、ステップＳ１１２０に進む。
【０１２４】
（ステップＳ１１１４）ＲＦドライブ部２１４はステップＳ１１０５から送信し続けていた非接触ＩＣ信号の送信を終了する。その後、ステップＳ１１１５に進む。
【０１２５】
（ステップＳ１１１５）制御部２０１は、ＲＦドライブ部２１４が非接触ＩＣメディアを認識したことを操作者に伝えるため、青色ＬＥＤを消灯させる。その後、ステップＳ１１１６に進む。なお、このときの制御方法としては、制御部２０１は、混合部２１１を介して分離部２１２にＭＭＩのＯＦＦ信号を入力する。それにより、分離部２１２のフリップフロップ回路はＭＭＩ部２０８に入力し続けていた青色ＬＥＤ信号を停止する。
【０１２６】
（ステップＳ１１１６）制御部２０１は、ステップＳ１１１５で分離部２１２に入力したＭＭＩのＯＦＦ信号を停止する。その後、ステップＳ１１１７に進む。
【０１２７】
（ステップＳ１１１７）制御部２０１は、決済処理が失敗したことを操作者に伝えるため、赤色ＬＥＤを点灯させる。その後、ステップＳ１１１８に進む。なお、このときの制御方法としては、制御部２０１は、混合部２１１を介して分離部２１２に赤色ＬＥＤのＯＮ信号を入力する。それにより、分離部２１２のフリップフロップ回路はＭＭＩ部２１０に赤色ＬＥＤ信号を入力し続ける。
【０１２８】
（ステップＳ１１１８）制御部２０１は、ステップＳ１１１７で分離部２１２に入力した赤色ＬＥＤのＯＮ信号を停止する。その後、ステップＳ１１１９に進む。
【０１２９】
（ステップＳ１１１９）表示部２０４は、ステップＳ１１０７での処理が失敗したことを表示する。また、このとき失敗した理由についても併せて表示する。その後、ステップＳ１１２０に進む。
【０１３０】
（ステップＳ１１２０）制御部２０１は、非接触ＩＣリーダライタ装置が行う全ての処理が終了したことを操作者に伝えるため、点灯していた全てのＬＥＤを消灯させる。その後、ステップＳ１１２１に進む。なお、このときの制御方法としては、制御部２０１は、混合部２１１を介して分離部２１２にＭＭＩのＯＦＦ信号を入力する。それにより、分離部２１２のフリップフロップ回路はＭＭＩ部２０８に入力し続けていた全てのＬＥＤ信号を停止する。
【０１３１】
（ステップＳ９１９）制御部２０１は、ステップＳ１１２０で分離部２１２に入力したＭＭＩのＯＦＦ信号を停止する。その後、処理を終了する。
【０１３２】
上述したとおり、本実施形態では、非接触ＩＣ信号やＭＭＩ信号などの信号を時分割で混合（重畳）することで、一対の信号線を使用して、アンテナ部と複数のＭＭＩとを制御する信号を送信することができる。これにより、延長部１０２にＭＭＩ部２０８〜２１０を備えたにもかかわらず、本体部１０１と延長部１０２とを接続するケーブル１１０は一対の信号線のみを含んだケーブルとすることができ、延長部１０２の取り回しが容易となり、コストも低減することができる。
【０１３３】
また、直流成分（直流バイアス）を延長部１０２に供給するため、制御部２０１は、ＭＭＩ部２０８〜２１０を駆動するために信号を出力し続けるのではなく、ＯＮ／ＯＦＦのトリガのために一時的に信号を出力するだけで、ＭＭＩ部２０８〜２１０の駆動を制御することができる。また、供給された直流成分を、ＬＥＤの点灯に必要な電力等として使用することも可能である。
【０１３４】
以上、この発明の実施形態について図面を参照して詳述してきたが、具体的な構成はこの実施形態に限られるものではなく、この発明の要旨を逸脱しない範囲の設計等も含まれる。例えば、本実施形態では、本体部と延長部との間は一対の信号線で接続されているが、複数対の信号線で接続されていても良い。また、本実施形態では、本体部１０１は入力部２０６を備え金額等の入力を受け付けるが、本体部１０１はインタフェース部を備え、インタフェース部を介して他の機器（例えば、ＰＯＳレジスタ）から入力を受け付けても良い。
【図面の簡単な説明】
【０１３５】
【図１】本発明の第一の実施形態による非接触ＩＣリーダライタ装置の構成を示した図である。
【図２】第一の実施形態における非接触ＩＣリーダライタの構成を示した図である。
【図３】第一の実施形態における混合部と分離部の動作の例を示した図である。
【図４】第一の実施形態での混合部の回路を示した回路図である。
【図５】第一の実施形態での分離部の回路を示した回路図である。
【図６】第一の実施形態における非接触ＩＣリーダライタ装置の処理の流れを示したフローチャートである。
【図７】本発明の第二の実施形態による非接触ＩＣリーダライタの構成を示した図である。
【図８】第二の実施形態における混合部と分離部の動作の例を示した図である。
【図９】第二の実施形態における非接触ＩＣリーダライタ装置の処理の流れを示したフローチャートである。
【図１０】第三の実施形態における混合部と分離部の動作の例を示した図である。
【図１１】第三の実施形態における非接触ＩＣリーダライタ装置の処理の流れを示したフローチャートである。
【図１２】従来知られている非接触ＩＣリーダライタ装置の構成図である。
【図１３】従来知られている非接触ＩＣリーダライタ装置の処理の流れを示したフローチャートである。
【図１４】従来知られている、本体部と延長部とからなる非接触ＩＣリーダライタの構成図である。
【図１５】本体部と延長部とからなる非接触ＩＣリーダライタの構成図である。
【符号の説明】
【０１３６】
１０１，１２０１・・・本体部、１０２，１２０２・・・延長部、１０３・・・青色ＬＥＤ、１０４・・・緑色ＬＥＤ、１０５・・・赤色ＬＥＤ、１０６・・・音ＭＭＩ用スピーカ、１１０・・・ケーブル、２０１，１００１・・・制御部、２０２，１００２・・・メモリ部、２０３，１００３・・・通信制御部、２０４，１００５・・・表示部、２０５・・・本体部ＭＭＩ部、２０６，１００８・・・入力部、２０７，１００４・・・アンテナ部、２０８〜２１０・・・ＭＭＩ部、２１１・・・混合部、２１２・・・分離部、２１３，１０１１・・・通信制御回路部、２１４，１０１２・・・ＲＦドライブ部、２１５・・・電源部、１００６・・・光ＭＭＩ部、１００７・・・音ＭＭＩ部
【図１】
0005181130.tif 000002
【図２】
0005181130.tif 000003
【図３】
0005181130.tif 000004
【図４】
0005181130.tif 000005
【図５】
0005181130.tif 000006
【図６】
0005181130.tif 000007
【図７】
0005181130.tif 000008
【図８】
0005181130.tif 000009
【図９】
0005181130.tif 000010
【図１０】
0005181130.tif 000011
【図１１】
0005181130.tif 000012
【図１２】
0005181130.tif 000013
【図１３】
0005181130.tif 000014
【図１４】
0005181130.tif 000015
【図１５】
0005181130.tif 000016